(57)【特許請求の範囲】
【請求項１】
原稿読取手段と、印字手段と、操作手段と、各種提供情報を管理する管理手段と、これら原稿読取手段、印字手段、操作手段及び管理手段を制御する制御手段とを備えた画像形成装置において、
一方の面が大画面の第１表示画面とされた表示装置の反対側の面が、前記操作手段が設けられている画像形成装置筐体の正面側を除く他の側面に沿って配置されることにより、両面を合わせるようにして支持されており、
前記表示装置は、前記反対側の面の上部が前記画像形成装置筐体の側面より上方に突出するように設けられ、この反対側の面の突出部分に前記第１表示画面よりも小さい第２表示画面が設けられており、
前記制御手段は、前記管理手段で管理されている各種提供情報を前記第１表示画面に表示することを特徴とする表示装置の支持構造を有する画像形成装置。
【請求項２】
原稿読取手段と、印字手段と、操作手段と、各種提供情報を管理する管理手段と、これら原稿読取手段、印字手段、操作手段及び管理手段を制御する制御手段とを備えた画像形成装置において、
一方の面が大画面の第１表示画面とされた表示装置の反対側の面が、前記操作手段が設けられている画像形成装置筐体の正面側を除く他の側面に沿って配置されることにより、両面を合わせるようにして支持されており、
前記表示装置は、前記反対側の面の上部が前記画像形成装置筐体の側面より上方に突出するように設けられ、この反対側の面の突出部分に前記第１表示画面よりも小さい第２表示画面が設けられており、
前記制御手段は、前記管理手段で管理されている各種提供情報を前記第１表示画面に表示するとともに、前記第１表示画面に表示されている提供情報と関連する関連情報を前記第２表示画面に表示することを特徴とする表示装置の支持構造を有する画像形成装置。
【請求項３】
原稿読取手段と、印字手段と、操作手段と、各種提供情報を管理する管理手段と、これら原稿読取手段、印字手段、操作手段及び管理手段を制御する制御手段とを備えた画像形成装置において、
一方の面が大画面の第１表示画面とされた表示装置の反対側の面が、前記操作手段が設けられている画像形成装置筐体の正面側を除く他の側面に沿って配置されることにより、両面を合わせるようにして支持されており、
前記表示装置は、前記反対側の面の上部が前記画像形成装置筐体の側面より上方に突出するように設けられ、この反対側の面の突出部分に前記第１表示画面よりも小さい第２表示画面が設けられており、
前記制御手段は、前記管理手段で管理されている各種提供情報を前記第１表示画面に表示するとともに、前記第１表示画面に表示されている提供情報と関連しない情報を前記第２表示画面に表示することを特徴とする表示装置の支持構造を有する画像形成装置。
【請求項４】
請求項１から請求項３までのいずれか１項に記載の表示装置の支持構造を有する画像形成装置において、
前記操作手段とは別に前記第２表示画面は第２操作手段となり、前記操作手段または前記第２操作手段のいずれか一方または両方で操作可能であることを特徴とする表示一体型画像形成装置。
【請求項５】
請求項２または請求項３に記載の表示装置の支持構造を有する画像形成装置において、
前記第２表示画面に表示されている情報から前記操作手段を介して所望の情報が選択されると、前記制御手段は、その選択された情報を前記印字手段により印字出力することを特徴とする表示装置の支持構造を有する画像形成装置。
【請求項６】
請求項４に記載の表示装置の支持構造を有する画像形成装置において、
前記第２表示画面に表示されている情報から前記第２操作手段を介して所望の情報が選択されると、前記制御手段は、その選択された情報を前記印字手段により印字出力することを特徴とする表示装置の支持構造を有する画像形成装置。
【請求項７】
請求項１から請求項６までのいずれか１項に記載の表示装置の支持構造を有する画像形成装置において、
前記制御手段は、前記原稿読取手段にて読み取られた原稿の画像情報を前記第１表示画面に表示することを特徴とする表示装置の支持構造を有する画像形成装置。
【請求項８】
請求項１から請求項７までのいずれか１項に記載の表示装置の支持構造を有する画像形成装置において、
前記制御手段は、前記原稿読取手段にて読み取られた原稿の画像情報を前記第２表示画面に表示することを特徴とする表示装置の支持構造を有する画像形成装置。
【請求項９】
請求項１から請求項８までのいずれか１項に記載の表示装置の支持構造を有する画像形成装置において、
前記管理手段は、前記表示画面に表示する提供情報を通信ネットワークを介して取得するための通信手段を制御していることを特徴とする表示装置の支持構造を有する画像形成装置。
【請求項１０】
請求項１から請求項８までのいずれか１項に記載の表示装置の支持構造を有する画像形成装置において、
前記管理手段は、前記第２表示画面に表示する提供情報を通信ネットワークを介して取得するための通信手段を制御していることを特徴とする表示装置の支持構造を有する画像形成装置。
【請求項１１】
請求項１から請求項１０までのいずれか１項に記載の表示装置の支持構造を有する画像形成装置において、
前記表示装置は、前記装置筐体の取り付けられた一側面に沿って回転可能に設けられており、前記制御手段は、前記表示装置の回転角度に応じて表示画面の表示方向を切り替えることを特徴とする表示装置の支持構造を有する画像形成装置。
【請求項１２】
請求項１から請求項１１までのいずれか１項に記載の表示装置の支持構造を有する画像形成装置において、
前記第１表示画面は、動画または静止画を表示することを特徴とする表示装置の支持構造を有する画像形成装置。
【請求項１３】
請求項１から請求項１２までのいずれか１項に記載の表示装置の支持構造を有する画像形成装置において、
前記第２表示画面は、動画または静止画を表示することを特徴とする表示装置の支持構造を有する画像形成装置。
【請求項１４】
請求項１から請求項１３までのいずれか１項に記載の画像形成装置に支持されたことを特徴とする表示装置。
【発明の詳細な説明】
【技術分野】
【０００１】
本発明は、複合機やデジタル複写機等の画像形成装置に係り、より詳細には、画像形成装置に大型の表示装置を融合させた表示装置の支持構造を有する画像形成装置及びこの画像形成装置に支持された表示装置に関する。
【背景技術】
【０００２】
近時、複合機やデジタル複写機等の画像形成装置は、コンビニエンスストア（以下、「コンビニ」と略記する。）やスーパーマーケット（以下、「スーパー」と略記する。）を初めとする量販店などに多く設置されており、主に店を利用するユーザが原稿のコピーを取る場合などに利用されている。
【０００３】
ところで、近時のコンビニは、道路側（歩道側）に面した店舗部分が全面ガラス張りとなっており、歩道を歩いている人に店内の様子が一目で分かるように商品が陳列されている。例えば、図１８に示すように、入り口５００を介して広いスペース側のガラス窓５０１沿いに本棚５１０が設置されており、狭いスペース側のガラス窓５０２沿いに画像形成装置Ａが設置され、その画像形成装置Ａの店内奥側に図示しないレジカウンタが配置されている、といった配置パターンが一般的である。そして、このような配置構成において、従来は、歩道側のガラス窓５０１，５０２に、店外に向かってポスター等の紙広告５０５を直接貼付して、歩行者に対し各種の宣伝活動を行っていた。また、店内の陳列台の僅かな空きスペースに紙広告を貼付して、店内のお客に対する宣伝活動を行っていた。
【０００４】
このような宣伝活動では、広告を頻繁に入れ替えることは難しく、例えば、時間帯によってサラリーマンの通行が多い時間帯はサラリーマンに的を絞った宣伝広告を行い、昼間の主婦層や学生が多い時間帯には、主婦や学生に的を絞った宣伝広告を行う、といったきめ細かい宣伝活動が行えないといった問題があった。
【０００５】
また、歩道側を全面ガラス張りとし、このガラス面に広告を貼付する手法は、不動産会社等にも採用されており、ガラス面の壁一面に各種不動産情報の紙広告を貼付して通行人に提供している。しかし、この場合でも、賃貸契約や売買契約が成立した不動産情報の撤去や、新たな不動産情報の貼付等を従業員が手作業で行う必要があるため、撤去のし忘れや貼り忘れ等が頻繁に発生し、提供情報が必ずしも最新のものでない場合があるといった問題があった。
【０００６】
一方、上記したように、各店舗に設置されている画像形成装置は、もっぱら店を利用するユーザが原稿のコピーを取る場合にのみ利用されており、それ以外にはほとんど利用されていないのが現状である。そこで、このような画像形成装置の利用効率を向上させるための工夫が従来からされている（例えば、特許文献１〜２等参照）。
【０００７】
特許文献１には、店舗に壁面ディスプレイとプリンタとを接続して設置し、壁面ディスプレイに表示された広告情報に対応する印刷ボタンを押下すると、当該印刷ボタンが押下された広告情報をプリンタで印刷することのできる広告情報処理システムが記載されている。
【０００８】
また、特許文献２には、複写機である画像処理装置とキャッシュレジスタとがＬＡＮで接続されており、複写機の原稿台にセットされた掲示画像原稿を読み取ると、この掲示画像を複写機の操作画面に表示するとともに、ＬＡＮを経由してキャッシュレジスタの表示装置に表示する画像処理装置が記載されている。
【特許文献１】特開２００２−３２９１３９号公報
【特許文献２】特開２００２−１５６８７３号公報
【発明の開示】
【発明が解決しようとする課題】
【０００９】
このように、画像形成装置と表示装置とを接続し、表示装置に表示されている広告情報を画像形成装置で印刷したり、画像形成装置から読み取った掲示画像を当該画像形成装置の操作画面やキャッシュレジスタの表示装置に表示することで、画像形成装置を利用して広告宣伝機能を高める工夫が従来から行われている。
【００１０】
しかし、特許文献１のものは、歩道側の壁面全体にディスプレイを設置し、このディスプレイと店内に設置されているプリンタとを通信ケーブルで接続する必要があるため、設置作業が大がかりとなり、また、店舗ごとに設置する必要があることから、設置作業が極めて煩雑であるといった問題があった。また、一旦設置した後は、レイアウトを臨機応変に変更したくても、簡単に行うことができないといった問題もあった。
【００１１】
また、特許文献２のものでは、広告情報を画像形成装置の操作画面やキャッシュレジスタの表示画面に表示することは可能であるが、これは店舗内にいる客に対しての宣伝広告であり、店舗前の歩道を歩いている人に対する宣伝広告とはなっていない。また、画像形成装置の操作画面やキャッシュレジスタの表示画面に表示するだけでは、店内の客もほとんど気が付かず、十分な宣伝効果が得られないといった問題があった。
【００１２】
なお、店舗内に画像形成装置と大画面（例えば、５０インチ等）のディスプレイ装置とをケーブルで接続して設置することも行われているが、コンビニやスーパー等の店舗では、売り場面積を如何に広く確保するかが課題であり、このように２つの大型機器を並置することは、売り場面積が狭くなるためあまり普及していない。また、狭い店舗では設置場所すら確保できない場合もあり、店舗側にとって必ずしもメリットのあるシステムとはなっていないのが現状である。例えば、５２Ｖ型の液晶ディスプレイ（シャープ製  ＰＮ−５２５）の外観寸法は、高さ１２５４ｍｍ×横幅７４２mm×奥行９２ｍｍ、質量４４Kg、そして、液晶ディスプレイのスタンド（シャープ製  ＩＤ−ＤＳ０３Ｗ）の外観寸法は、横幅９１７mm×奥行８７０ｍｍ、さらにデジタル複合機（シャープ製  ＭＸ−３５００ＦＮ）の外観寸法は、高さ９５０ｍｍ×横幅６４５mm×奥行６７０ｍｍ、質量１２０Kg、である。ここで、液晶ディスプレイとデジタル複写機を直列に置くと、床占有面積は、横幅：液晶ディスプレイスタンド幅９１７ｍｍ×奥行：１５４０ｍｍ（デジタル複写機の奥行６７０ｍｍ＋液晶ディスプレイのスタンドの奥行８７０ｍｍ）必要である。
【００１３】
本発明はかかる問題点を解決すべく創案されたもので、その目的は、広い設置場所を必要とせず、かつ、設置作業が極めて簡単であり、歩道側の歩行者に対して十分な宣伝効果を得ることができるとともに、店舗側にとっても、有効かつきめ細かな情報をリアルタイムに提供することのできる表示装置の支持構造を有する画像形成装置及びこの画像形成装置に支持された表示装置を提供することにある。
【課題を解決するための手段】
【００１４】
上記課題を解決するため、本発明の表示装置の支持構造を有する画像形成装置及びこの画像形成装置に支持された表示装置は、原稿読取手段と、印字手段と、操作手段と、各種提供情報を管理する管理手段と、これら原稿読取手段、印字手段、操作手段及び管理手段を制御する制御手段とを備えた画像形成装置において、一方の面が大画面の第１表示画面とされた表示装置の反対側の面が、前記操作手段が設けられている画像形成装置筐体の正面側を除く他の側面に沿って配置されることにより、両面を合わせるようにして支持されており、前記表示装置は、前記反対側の面の上部が前記画像形成装置筐体の側面より上方に突出するように設けられ、この反対側の面の突出部分に前記第１表示画面よりも小さい第２表示画面が設けられており、前記制御手段は、前記管理手段で管理されている各種提供情報を前記第１表示画面に表示することを特徴としている。すなわち、画像形成装置を表示装置の脚部として兼用することで、画像形成装置と表示装置という２台の大型機器の設置スペースを、実質的に画像形成装置の設置スペースに収めることが可能となる。因みに、デジタル複合機の背面に液晶ディスプレイを装着すれば、床占有面積は、横幅：液晶ディスプレイ幅７４２ｍｍ×奥行：７６２ｍｍ（液晶ディスプレイの奥行９２ｍｍ＋デジタル複合機の奥行６７０ｍｍ）で済ませることができる。また、液晶ディスプレイを縦置きにするとバランスが悪いが、デジタル複合機と一体にすることで、デジタル複合機と液晶ディスプレイの重量バランスがよく安定した設置が可能である。これにより、コンビニやスーパー等の狭い店舗においても、画像形成装置を従来から設置している場所にほぼそのまま設置することができる。この場合、第１表示画面が外側を向くようにして画像形成装置の例えば背面側に表示装置を取り付けると、画像形成装置を従来通り店舗内に設置するだけで、表示装置の第１表示画面が、道路側（すなわち、歩道側）の壁面ガラスを介して店舗外の歩行者側に向くことになる。従って、この表示装置の第１表示画面に、管理手段に管理されている各種提供情報（広告情報等）を表示することで、店舗外の歩行者にインパクトのある宣伝広告を行うことができ、商品への興味や情報の認知につなげることが可能となる。
【００１５】
また、本発明によれば、前記表示装置は、第１表示装置とは反対側の面の上部が前記画像形成装置筐体の側面より上方に突出するように設けられ、この反対側の面の突出部分に前記第１表示画面よりも小さい第２表示画面が設けられている。そして、前記制御手段は、前記管理手段で管理されている各種提供情報を前記第１表示画面に表示するとともに、前記第１表示画面に表示されている提供情報と関連する関連情報を前記第２表示画面に表示するようになっている。または、前記制御手段は、前記第２表示画面に前記第１表示画面と関連しない情報を表示するように構成してもよい
【００１６】
すなわち、第１表示画面と第２表示画面とが関連する情報を表示しているときは、画像形成装置の背面側にある第１表示画面の表示内容を、画像形成装置の正面側にある第２表示画面で確認しながら印字出力することができる。
【００１７】
また、第１表示画面に広告情報を表示し、第２表示画面に操作説明や第１表示画面とは異なる広告情報等を表示するようにしてもよい。第２表示画面に操作説明を表示している場合には、印字出力操作をする人が操作し易くなる。また、別の広告情報を表示することで、店の中と外で見せたい内容が異なるときには、第１表示画面と第２表示画面に異なる情報を表示すればよい。
【００１８】
また、本発明によれば、前記第２表示画面の上にタッチパネル等を貼付することで、第２操作手段として利用することができる。これにより、画像形成装置に設けられている第１操作手段または表示装置の第２表示画面に設けられている第２操作手段のいずれか一方または両方を用いて各種操作を行うことが可能となり、操作者は、操作し易い方の手段を選択することができる。この場合、第２操作手段は、第１操作手段に比べてより大きな操作画面となるので、操作者にとっては見易い操作画面となる。
【００１９】
また、本発明によれば、前記表示装置の表示内容を確認したユーザにより当該表示装置に表示されている情報から前記第１操作手段を介して所望の情報が選択されると、前記制御手段は、その選択された情報を前記印字手段により印字出力するように構成してもよい。または、前記表示装置の第１表示画面の表示内容を確認したユーザにより前記第２表示画面に表示されている情報から前記第１操作手段または第２操作手段を介して所望の情報が選択されると、前記制御手段は、その選択された情報を前記印字手段により印字出力するように構成してもよい。
【００２０】
ここで、選択される情報としては、店舗側にとっても利益があり、かつ客側にとっても利益がある例えば格安商品等のチラシ、料理やお菓子等のレシピ、クーポン券、チケット等を挙げることができる。このように、第１表示画面に表示されている情報及びその関連情報等を店内に設置されている画像形成装置から即座に印字出力できるようにすることで、第１表示画面の広告内容に興味を持った歩行者が、その情報を印字出力するために店内に入ってくることになる。これにより、従来なら広告を見ただけで素通りしていた歩行者を店内に誘導することができるので、集客効果が期待できるものである。
【００２１】
また、本発明によれば、前記制御手段は、前記原稿読取手段にて読み取られた原稿の画像情報を前記表示装置の第１表示画面及び／または第２表示画面に表示するように構成してもよい。これにより、各店舗において、リアルタイムな情報を大画面で配信することが可能となる。また、緊急値下げ等のタイムサービスを行う場合に、その時間帯に合わせてタイムリーに緊急値下げの広告を配信することができる。
【００２２】
また、本発明によれば、前記管理手段は、前記第１表示画面及び／または第２表示画面に表示する提供情報を通信ネットワークを介して取得するための通信手段を備えていてもよい。
【００２３】
表示画面に表示する提供情報は、基本的には画像形成装置内のメモリ部に保存し、管理手段によって随時メモリ部から読み出して表示装置に表示することになるが、通信手段を備えることで、例えば広告情報のみならず、地域情報等を通信ネットワークを介して取得し、その情報を表示装置の第１表示画面に表示することも可能となり、表示装置を双方向デバイスとして利用することが可能となる。
【００２４】
また、本発明によれば、前記表示装置は、前記装置筐体の取り付けられた一側面に沿って回転可能に設けられており、前記制御手段は、前記表示装置の回転角度に応じて表示画面の表示方向を切り替えるように構成する。設置する店舗によっては、大型の表示装置を縦向きではなく横向きに設置したい場合もある。従って、表示装置を前記装置筐体の取り付けられた一側面に沿って回転可能とすることで、店舗側の事情に合わせた種々の設置形態をとることが可能となる。そして、表示装置を例えば縦置きから横置きに変更した場合でも、制御手段が表示装置の回転角度に応じて表示画面の表示方向を縦方向から横方向に切り替えるので、設置方向を気にすることなく変更することができる。
【発明の効果】
【００２５】
本発明によれば、画像形成装置を従来通り店舗内に設置するだけで、表示装置の第１表示画面が、道路側（すなわち、歩道側）の壁面ガラスを介して店舗外の歩行者側に向くので、この第１表示画面に、管理手段に管理されている各種提供情報（広告情報等）を表示することで、店舗外の歩行者にインパクトのある宣伝広告を行うことができ、商品への興味や情報の認知につなげることができる。
【発明を実施するための最良の形態】
【００２６】
以下、本発明の実施の形態について、図面を参照して説明する。
【００２７】
−本発明の表示装置の支持構造を有する画像形成装置及びこの画像形成装置に支持された表示装置の全体構造の説明−
図１（ａ）〜（ｃ）は、本発明の表示装置の支持構造を有する画像形成装置及びこの画像形成装置に支持された表示装置（以下、表示一体型画像形成装置と称する。）の一実施形態の外観斜視図である。
【００２８】
この画像形成装置Ａ１は、正面側から見た形状がコの字型に形成された胴内排紙構造の画像形成装置であり、胴内排紙口部５１の上部側に原稿押さえ蓋５２、原稿読取部５３及びスキャナー部５４が配置され、胴内排紙口部５１の下部側に画像形成部５５及び給紙部５６が配置されている。また、原稿読取部５３の正面側には、キーボード式及びタッチパネル式の操作部５８とが設けられている。
【００２９】
すなわち、この画像形成装置Ａ１は、長方形状に形成された背面側の筐体１１ａと右側面側の筐体１１ｂ、及び胴内排紙口部５１部分がコの字型に切り欠かれた略長方形状の正面側の筐体１１ｃと左側面側の筐体１１ｄとで囲まれているとともに、これら筐体上部が原稿押さえ蓋５２及び原稿読取部５３を含むスキャナー部５４によって覆われた構造となっている。また、図示は省略しているが、筐体下部の四隅にはそれぞれキャスターが設けられており、画像形成装置を自由に押して移動できるようになっている。
【００３０】
この画像形成装置Ａ１は、原稿読取部５３に原稿を置く場合、胴内排紙口部５１の排紙トレイ５７から記録用紙を取り出す場合、給紙部５６に記録用紙を補給する場合は、画像形成装置の正面側から行うことが可能なフロントアクセスタイプとなっている。また、正面側筐体１１ｃの胴内排紙口部５１のすぐ下に前扉１２が設けられ、右側面側筐体１１ｂにも上下２箇所に横扉１３，１４が設けられており、前扉１２の下に給紙部５６の各給紙用カセット５６ａ，５６ｂが前側に引き出し可能に配置されている。そして、前扉１２を開けることにより、トナーの補給、感光体の交換、定着器や帯電器の修理や交換などのメンテナンスを行うことが可能となっている。また、詰まった記録用紙を用紙搬送路から除去する場合には、横扉１３，１４も必要に応じて開くようになっている。ただし、排紙トレイ５７を胴内排紙口部５１に配置する以外、その上部と下部に配置される各構成部は一例であり、この配置構成に限定されるものではない。
【００３１】
上記構成において、本実施形態では、画像形成装置Ａ１の背面側筐体１１ａに、第１表示画面２２を外側に向けて大型の表示装置（ディスプレイ）２１が、画面長手方向を上下に向けて配置した状態で一体的に取り付けられている。すなわち、本実施形態では、画像形成装置Ａ１を大型ディスプレイ２１の脚部として利用している。これにより、画像形成装置Ａ１と大型ディスプレイ２１という２台の大型機器の設置スペースを、実質的に画像形成装置Ａ１の設置スペースに収めることが可能となる。また、画像形成装置Ａ１と大型ディスプレイ２１との接続コードも外部に露出することがないので、見かけ上もスッキリするとともに、接続コードを引っかけてしまうといった問題も発生しない。ただし、厳密には、大型ディスプレイ２１の厚み分と後述する上下移動機構部及び回転移動機構部の奥行き分とのスペースが必要である。これにより、コンビニやスーパー等の狭い店舗においても、画像形成装置を従来から設置している場所に、本発明の表示一体型画像形成装置をほぼそのまま設置することが可能となるものである。
【００３２】
また、大型ディスプレイ２１は、その上部が背面側筐体１１ａより上方に突出するように配置されており、その突出部分の第１表示画面２２とは反対側の面に第２表示画面２３が配置されている。なお、この第２表示画面２３には、その上に操作入力部としてのタッチパネル２３ａが配置されていてもよい。上記実施例では、大型ディスプレイ２１の第１表示画面２２と第２表示画面２３とを一体としているが、それぞれ別体としてもよい。
【００３３】
図２は、上記構成の表示一体型画像形成装置をコンビニに設置した状態の一例を示しており、（ａ）は斜視図、（ｂ）は平面図である。
【００３４】
すなわち、近時のコンビニは、道路側（歩道側）に面した店舗部分が全面ガラス張りの透明のガラス窓となっており、歩道を歩いている人に店内の様子が一目で分かるように商品が陳列されている。具体的には、入り口５００を介して広いスペース側のガラス窓５０１沿いに本棚５１０が配置され、狭いスペース側のガラス窓５０２沿いに画像形成装置Ａ１が設置されており、その画像形成装置Ａ１の店内奥側にレジカウンタ５０３が配置され、本棚５１０の店内奥側に各種商品棚５１１が配置されている、といった配置パターンが一般的である。この場合、画像形成装置Ａ１は、背面側に取り付けられた大型ディスプレイ２１の第１表示画面２２が外側（すなわち、店舗外の歩道側）を向くように配置する。これにより、大型ディスプレイ２１の第１表示画面２２が、道路側（すなわち、歩道側）のガラス窓５０２を介して店舗外の歩行者側に向くことになる。従って、この大型ディスプレイ２１の第１表示画面２２に広告情報を表示することで、店舗外の歩行者にインパクトのある宣伝広告を行うことが可能となる。
【００３５】
図３（ａ）〜（ｃ）は、本実施形態の大型ディスプレイ２１を画像形成装置Ａ１の背面側筐体１１ａに対して上下方向にスライド移動させたときの動作イメージ図、図３（ｄ）〜（ｆ）は、大型ディスプレイ２１を画像形成装置Ａ１の背面側筐体１１ａに沿って±９０度回転させたときの動作イメージ図である。
【００３６】
設置する店舗によっては、ガラス窓５０２の下部分が目隠しされていたり、別の紙広告等が貼付されていたりする場合もあるため、図３（ａ）〜（ｃ）に示すように高さ調整可能及び高さ位置固定可能とすることで、大型ディスプレイ２１を各店舗に合った最適な高さに設置することが可能となる。同様に、設置する店舗によっては、大型ディスプレイ２１を縦向きではなく横向きに設置したい場合もある。従って、大型ディスプレイ２１を図３（ｄ）〜（ｆ）に示すように画像形成装置Ａ１の筐体１１ａに沿って回転可能及び所定角度（この例では９０度）位置で位置固定可能とすることで、店舗側の事情に合わせた種々の設置形態をとることが可能となる。
【００３７】
＜ディスプレイ上下移動機構部の説明＞
次に、図３（ａ）〜（ｃ）に示す上下スライド移動を可能とするためのディスプレイ上下移動機構部の構造の一実施例について、図４及び図５を参照して説明する。ただし、図４は上下移動機構部３０の分解斜視図、図５は上下移動機構部３０を上から見た断面図である。
【００３８】
画像形成装置Ａ１の背面側筐体１１ａの左右両側部には、後方に平行に突出するように設けられた長板形状の一対の保持板３１，３１が一体形成（または、ネジ等によって取り付け固定）されており、この保持板３１，３１によって囲まれた背面側筐体１１ａに、所定の間隔Ｌ１を存して後方に平行に突出するように設けられた長板形状の一対のガイドレール板３２，３２が、図示しないネジ等によって一体的に取り付け固定されている。このガイドレール板３２，３２には、互いに対向する面とは反対側の面（すなわち、保持板３１と対向する面）に、その上端部から下端部まで連通する１条のレール溝部３３，３３がそれぞれ形成されている。
【００３９】
一方、大型ディスプレイ２１の背面側筐体２１ａには、所定の間隔Ｌ２を存して前方に平行に突出するように設けられた長板形状の一対のディスプレイ保持スライダ２４，２４が、ネジ２６等によって取り付け固定されている。このディスプレイ保持スライダ２４，２４には、互いに対向する面に、その上端部から下端部まで連通する１条のレール突起部２５，２５がそれぞれ形成されており、このレール突起部２５，２５が、ガイドレール板３２，３２の各レール溝部３３，３３にそれぞれ嵌まり合うことによって、上下方向にスライド移動可能に係合されている。すなわち、所定の間隔Ｌ１，Ｌ２は、これらレール突起部２５とレール溝部３３との係合を保持した状態で上下方向にスムーズにスライド移動可能となるように設定されている。
【００４０】
また、一方の保持板（図４及び図５では右側の保持板）３１には、対向するディスプレイ保持スライダ２４を固定するための上下動固定ピン３６が設けられている。この上下動固定ピン３６は、コイルバネ３７によって常にディスプレイ保持スライダ２４方向に付勢されており、上下動固定ピン３６をディスプレイ保持スライダ２４の対向する外面側に形成された複数個の固定穴２７（本実施例では２７ａ，２７ｂ，２７ｃの３個）のいずれか一つと係合させて、ディスプレイ保持スライダ２４の高さ位置を固定することにより、大型ディスプレイ２１の高さ位置を調整することができるようになっている。
【００４１】
ここで、大型ディスプレイ２１の高さ位置を、例えば図３（ａ）から図３（ｂ）に変更する場合の操作方法について説明する。
【００４２】
まず、保持板３１に設けられている上下動固定ピン３６のハンドル部３６ａを引っ張ってコイルバネ３７を弾性圧縮させ、ディスプレイ保持スライダ２４の固定穴２７ａから上下動固定ピン３６の係合を外す。これにより、ディスプレイ保持スライダ２４がスライド移動可能となる。次に、上下動固定ピン３６のハンドル部２６ａを引っ張った状態で、大型ディスプレイ２１を図３（ｂ）の位置まで上昇させ、上下動固定ピン３６のハンドル部３６ａの引っ張りを解除する。すると、上下動固定ピン３６に設けられているコイルバネ３７の付勢力（弾性復元力）によって、上下動固定ピン３６がディスプレイ保持スライダ２４の固定穴２７ｂと係合し、大型ディスプレイ２１が図３（ｂ）の位置に固定されることになる。
【００４３】
なお、上記の操作説明では、ディスプレイ保持スライダ２４の固定穴２７ａから上下動固定ピン３６の係合を外してから、次の固定穴２７ｂに上下動固定ピン３６を係合させるまでの間、ハンドル部３６ａをずっと引っ張るようにしているが、固定穴２７ａから上下動固定ピン３６の係合を外した後、ディスプレイ保持スライダ２４を若干上方にスライドさせた時点でハンドル部３６ａの引っ張りを解除してもよい。これにより、ディスプレイ保持スライダ２４をゆっくりと上昇させていくと、次の固定穴２７ｂに上下動固定ピン３６の先端が一致したときに、コイルバネ３７の付勢力（弾性復元力）によって上下動固定ピン３６が固定穴２７ｂに自動的に係合することになる。
【００４４】
＜ディスプレイ回転移動機構部の説明＞
次に、図３（ｄ）〜（ｆ）に示す回転移動を可能とするためのディスプレイ回転移動機構部の構造の一実施例について、図６及び図７を参照して説明する。ただし、図６は回転移動機構部４０の要部斜視図、図７は回転移動機構部４０を上から見た断面図である。
【００４５】
画像形成装置Ａ１の背面筐体１１ａに設けられた大型ディスプレイ２１は、図３（ｄ）〜（ｆ）に示すように、縦長の表示状態（図３（ｄ））を中心に時計回りに±９０度回転させて横長の表示状態（図３（ｅ），（ｆ））にすることにより、使用者の所望する向きに大型ディスプレイ２１を保持できるようになっている。
【００４６】
これを実現するための本実施例の回転移動機構部４０は、画像形成装置Ａ１の背面筐体１１ａに設けられた軸受部４１によって回転軸４２の一端部４２ａ側を支持し、この回転軸４２の他端部４２ｂに大型ディスプレイ２１の背面側筐体２１ａを支持固定した構造となっている。大型ディスプレイ２１の背面側筐体２１ａには、回転軸４２の他端部４２ｂを支持固定するための円筒形状の保持部２８が設けられており、この保持部２８に回転軸４２の他端部４２ｂを挿通した状態で、保持部２８の外周面側から回転軸４２に対してネジ２９等をねじ込むことによって、大型ディスプレイ２１が回転軸４２に一体的に支持固定されている。
【００４７】
一方、画像形成装置Ａ１の背面筐体１１ａに設けられた軸受部４１は、背面筐体１１ａに支持固定された第１軸受部４１ａと、背面筐体１１ａの内部に設けられた軸受支持板４５に支持固定された第２軸受部４１ｂとによって構成されており、回転軸４２の一端部４２ａ側は、これら第１軸受部４１ａと第２軸受部４１ｂとによって支持されている。
そして、これら第１軸受部４１ａと第２軸受部４１ｂとの間の回転軸４２に、円周部にピン溝４３ａ、ピン溝４３ｂ、ピン溝４３ｃを９０度毎に設けた回転盤４３が一体的に設けられている。
【００４８】
一方、画像形成装置Ａ１の左側面側筐体１１ｄには、回転軸４２の回転位置を固定するための回転固定ピン４６が設けられている。この回転固定ピン４６は、コイルバネ４７によって常に回転盤４３の方向に付勢されており、回転固定ピン４６を回転盤４３の円周部に設けられた３個のピン溝４３ａ〜４３ｃのいずれか一つと係合させて、回転盤４３の回転位置（すなわち、回転軸４２の回転位置）を固定することにより、図３（ｄ）〜（ｆ）に示すように、大型ディスプレイ２１を時計回り０度の位置、時計回り９０度の位置、時計回り−９０度の位置にそれぞれ保持することができるようになっている。
【００４９】
ここで、大型ディスプレイ２１の回転角度位置を、時計回り０度の位置（図３（ｄ）に示す位置）から時計回り−９０度の位置（図３（ｅ）の位置）に回転させる場合の操作方法について説明する。
【００５０】
まず、画像形成装置Ａ１の左側面側筐体１１ｄに設けられている回転固定ピン４６のハンドル部４６ａを引っ張ってコイルバネ４７を弾性圧縮させ、回転盤４３のピン溝４３ｂから回転固定ピン４６の係合を外す。これにより、回転軸４２が回転移動可能となる。次に、回転固定ピン４６のハンドル部４６ａを引っ張った状態で、大型ディスプレイ２１を図３（ｅ）の位置まで時計回りに−９０度回転させ、回転固定ピン４６のハンドル部４６ａの引っ張りを解除する。すると、回転固定ピン４６に設けられているコイルバネ４７の付勢力（弾性復元力）によって、回転固定ピン４６が回転盤４３のピン溝４３ｃと係合し、大型ディスプレイ２１が図３（ｅ）の位置に固定されることになる。
【００５１】
同様に、回転固定ピン４６のハンドル部４６ａを引っ張ってコイルバネ４７を弾性圧縮させ、回転盤４３のピン溝４３ｂから回転固定ピン４６の係合を外した状態で、大型ディスプレイ２１を図３（ｆ）の位置まで時計回りに＋９０度回転させると、回転固定ピン４６が回転盤４３のピン溝４３ａと係合することになる。
【００５２】
なお、上記の操作説明では、回転盤４３のピン溝４３ｂから回転固定ピン４６の係合を外してから、次のピン溝４３ｃに回転固定ピン４６を係合させるまでの間、ハンドル部４６ａをずっと引っ張るようにしているが、ピン溝４３ｂから回転固定ピン４６の係合を外した後、回転軸４２を反時計方向に若干回転させた時点で、ハンドル部４６ａの引っ張りを解除してもよい。これにより、回転軸４２を半時計方向にさらに回転させていくと、次のピン溝４３ｃに回転固定ピン４６の先端が一致したときに、コイルバネ４７の付勢力（弾性復元力）によって回転固定ピン４６がピン溝４３ｃに自動的に係合することになる。
【００５３】
なお、上記機構部の説明では、ディスプレイ上下移動機構部３０とディスプレイ回転移動機構部４０とをそれぞれ個別に設けた場合について説明しているが、両機構部を一体として設けてもよい。図８は、ディスプレイ上下移動機構部３０とディスプレイ回転移動機構部４０を一体として設けた場合の要部分解斜視図である。
【００５４】
ディスプレイ上下移動機構部３０のみを設ける場合には、図４に示すように、保持板３１とガイドレール板３２，３２とを画像形成装置Ａ１の背面側筐体１１ａに直接固定しているが、図８では、この保持板３１とガイドレール板３２，３２とを上下移動用基板３９に固定し、図６及び図７に示す回転軸４２の他端部４２ｂに、この上下移動用基板３９を支持固定した構造とすればよい。これにより、図３（ａ）〜（ｃ）に示す上下移動と、同図（ｄ）〜（ｆ）に示す回転移動とを組み合わせて行うことができるので、各店舗の設置条件に合わせた柔軟な配置構成を実現することが可能となる。
【００５５】
また、上記実施形態では、大型ディスプレイ２１を画像形成装置Ａ１の背面側に取り付けている場合について説明しているが、原稿の読み込みや排紙トレイからの用紙の取り出し、給紙カセットへの記録用紙の補給やメンテナンス等による各扉の開閉等に支障がなければ、例えば図９に示すように、画像形成装置Ａ１の一方の側面側筐体１１ｄに大型ディスプレイ２１を取り付けてもよい。なお、図９（ａ）は第２表示画面２３がある場合、同図（ｂ）は第２表示画面２３が無い場合を例示している。
【００５６】
図１０は、図９に示す画像形成装置Ａ１をコンビニに設置した状態の一例を示している。この例では、入り口５００を介して狭いスペース側のガラス窓５０４沿いに、側面側に取り付けられた大型ディスプレイ２１の第１表示画面２２が外側（すなわち、店舗外の歩道側）を向くように、画像形成装置Ａ１をガラス窓５０４に対して横向きに設置している。すなわち、画像形成装置Ａ１の背面側を壁側５０５に向けて設置している。これは、ガラス窓５０４とレジカウンタ５０６との間に画像形成装置Ａ１の利用者の操作スペースが十分に確保できない場合に有効な設置形態であり、画像形成装置Ａ１の側面に大型ディスプレイ２１を取り付けることで、このような設置形態が可能となる。
【００５７】
また、上記実施形態では、大型ディスプレイ２１を画像形成装置Ａ１の背面側筐体１１ａまたは側面側筐体１１ｄに取り付けている場合について説明しているが、例えば図１１に示すように、画像形成装置Ａ１の背面側筐体１１ａ及び側面側筐体１１ｄに大型ディスプレイ２１を取り付けてもよい。なお、図１１（ａ）は背面側筐体１１ａに取り付けられた大型ディスプレイ２１ａに第２表示画面２３があり、側面筐体１１ｄに取り付けられた大型ディスプレイ２１ｂに第２表示画面が無い場合、同図（ｂ）は背面側筐体１１ａに取り付けられた大型ディスプレイ２１ａに第２表示画面２３が無く、側面筐体１１ｄに取り付けられた大型ディスプレイ２１ｂに第２表示画面がある場合を例示している。更に、第２表示画面２３は大型ディスプレイ２１ａまたは２１ｂのいずれかに設けたが、両方に設けてもよく、両方に無くてもよい。
【００５８】
−本発明の表示一体型画像形成装置の電気的構成の説明−
本実施形態では、本発明の表示一体型画像形成装置をデジタル複合機に適用した場合について説明する。図１２は、そのようなデジタル複合機の電気的構成の概略と、周辺機器との接続関係とを示している。
【００５９】
まず、このデジタル複合機（画像形成装置）Ａ１の電気的構成について説明する。
【００６０】
図１２に示すように、デジタル複合機Ａ１は、スキャナー部５４、操作部５８、画像形成部５５、機器制御部５９、ＦＡＸモデム６０、通信部６１、管理部６２、及びハードディスク（ＨＤ）６３を備えている。すなわち、本実施形態のデジタル複写機Ａ１は、ＦＡＸとネットワークプリンタの複合機となっている。
【００６１】
スキャナー部５４は、ＣＣＤ５４ａや原稿検知センサ５４ｂなどを備えている。
【００６２】
操作部５８は、後述するタッチパネルやメカキーである各種機能ボタン等からなる入力部５８ａと、液晶等の表示パネルからなる表示部５８ｂとを備えている。図１３は、操作部５８の構成を示している。表示部５８ｂは、表示パネル１０１の上面に透明なタッチパネル１０４が配置された構造となっており、この表示部５８ｂの横（図では右横）に各種機能ボタン１０２とテンキー１０３とが配置されている。さらに、テンキー１０３の右横に、スタートボタンや全解除（ＣＡ）ボタンやクリア（Ｃ）ボタンが配置された構成となっている。
【００６３】
画像形成部５５は、印字データを展開する作業用のメモリ５５ｂを有する画像処理部５５ａ、外部からきたデータを機器内で保護するためにデータを暗号化してハードディスク６３に一時的に退避（保存）させるとともに、ハードディスク６３に退避させているデータを復号化して画像処理部５５ａに渡す暗号化／復号化部５５ｃ、レーザスキャニングユニット（ＬＳＵ）を有する印字部５５ｄなどを備えている。ここで、印字部５５ｄはレーザスキャニングユニット（ＬＳＵ）に限定されず、インクジェット方式や熱転写方式等様々な形態に適用可能である。
【００６４】
機器制御部５９は、機器全体の動作制御を管理する部分であり、ＣＰＵ、ＲＯＭ、ＲＡＭ等で構成されており、表示制御としては、表示部５８ｂの表示制御の他、大型ディスプレイ２１の第１表示画面２２及び第２表示画面２３の表示制御も行うようになっている。
【００６５】
管理部６２は、機器の動作に必要な情報を管理する部分であり、例えば送受信で言えば、メールアドレスの管理やＦＡＸの電話番号の管理などを行う。また、ハードディスク６３に一時的に退避したデータの位置情報（アドレス情報）の管理や、プリンタモードで動作している場合に、当該プリンタへ出力するデータの位置情報の管理など、機器の動作に必要な情報を一括管理している。
【００６６】
また、本実施形態では、管理部６２は、ハードディスク６３に記憶した各種表示データを大型ディスプレイ２１の第１表示画面２２及び第２表示画面２３に表示する順序、時間等も管理している。
【００６７】
通信部６１は、ネットワーク７１との間で双方向通信を行う通信部であり、本実施形態では、受信したデータを機器が扱えるデータに展開するためのメモリを備えたプリンタボードとなっている。従って、通信部６１では、受信したデータをこのメモリ上で展開しながら、作業用のメモリ５５ｂに順次転送する。
【００６８】
上記構成のデジタル複合機Ａ１において、ＦＡＸモデム６０には、電話回線７２を介してファクシミリ装置８１が接続可能となっている。また、通信部６１には、ＬＡＮ等のネットワーク７１を介して端末装置（パソコン）８２，サーバ８３等が接続可能となっているとともに、インターネット７３を介してインターネットＦＡＸ８４や外部パソコン８５等が接続可能となっている。本実施形態のデジタル複合機Ａ１は、このようなネットワーク環境の中に配置されている。
【００６９】
端末装置８２、サーバ８３等からネットワーク７１を介してデジタル複合機Ａ１へ送付されたデータ（動画、静止画、テキスト等）をハードディスク６３へ記憶し、管理部６２に記憶されている管理情報に基づいて大型ディスプレイ２１の第１表示画面２２及び第２表示画面２３に表示させることも出来る。
【００７０】
図１４は、大型ディスプレイ２１に表示させるデータを設定する際の設定処理手順の一例を示している。以下、この設定処理手順について説明する。
【００７１】
図１３に示す操作部５８の表示パネル１０１（タッチパネル１０４）に表示された「特別機能」を選択すると、図１４Ａ（ａ）に示す画面に移行する。
【００７２】
図１４Ａ（ａ）に示す「特別機能」の画面は、デジタル複合機Ａ１の動作設定を行う画面であり、この画面から「表示設定」を選択することにより、図１４Ａ（ｂ）に示す画面に移行する。
【００７３】
図１４Ａ（ｂ）に示す「表示設定」画面は、大型ディスプレイ２１に表示させる表示データの選択画面であり、「原稿の読み取り」、「ＷＥＢアクセス」、「ドキュメントファイリング」で構成されている。
【００７４】
「原稿の読み取り」は、大型ディスプレイ２１に表示させる表示データをスキャナー部５４を用いて読み取る際に選択される。
【００７５】
「ＷＥＢアクセス」は、大型ディスプレイ２１に指定のウェブページを表示させるものであり、「ＷＥＢアクセス」を選択することで、図１４Ａ（ｃ）に示す画面に移行する。そして、図１４Ａ（ｃ）に示されている文字キー等を用いることにより、特定のホームページのアドレス設定が可能となっている。
【００７６】
「ドキュメントファイリング」は、ハードディスク６３に記憶されているデータ（画像データ）を管理部６２の図示しないメモリ部に記憶されている管理情報に基づいて大型ディスプレイ２１に表示させる際に用いられるものであり、この「ドキュメントファイリング」を選択することで、図１４Ｂ（ｄ）に示す「ドキュメントファイリング」の画面に移行する。
【００７７】
図１４Ｂ（ｄ）に示す「ドキュメントファイリング」画面は、「スキャン保存」、「ファイリングフォルダ」、「自動一時保存フォルダ」で構成されている。図１４Ｂ（ｅ）は、この「ドキュメントファイリング」画面の「自動一時保存フォルダ」が選択された場合の表示画面の一例であり、表示されたファイル一覧から所望のファイルを選択することにより、大型ディスプレイ２１に表示させるデータが選択可能となっている。この場合、複数個のファイルを選択することも可能であり、複数個のファイルを選択した場合には、選択されたファイルの表示データが例えば所定時間（もしくは利用者が設定した時間）で順次切り換えられて表示されるようになっている。
【００７８】
また、図１４Ａ（ｂ）に備えられている「詳細設定」は、大型ディスプレイ２１に複数の画面を表示させる場合や、表示時間の設定等を行う場合に用いられる。この詳細設定を行うことで、例えば第１表示画面２２にＡデータを表示し、第２表示画面にＢデータを表示するといった設定や、第１表示画面２２に表示するＡデータの表示時間を午後２時から午後５時までとするといった設定が可能となる。
【００７９】
なお、図１４Ａ（ｂ）の「原稿の読み取り」、「ＷＥＢアクセス」、「ドキュメントファイリング」の各選択画面の操作によって取得されたデータは、ハードディスク６３に一旦記憶（保存）され、管理部６２の図示しないメモリ部に記憶されている管理情報に基づいて、機器制御部５９がハードディスク６３から適宜読み出して大型ディスプレイ２１の各表示画面に表示するようになっている。
【００８０】
次に、上記構成の表示一体型画像形成装置において、大型ディスプレイ２１に表示された各種データを見た客が画像形成装置Ａ１から所望するデータを印字出力する場合の実施例について説明する。
【００８１】
図１５は、大型ディスプレイ２１の第１表示画面２２に表示されるコンビニや食品スーパーなどを対象とした広告データの表示例であり、符号２０１，２０２で示す例えば食材やメニュー、新商品などを中心にした商品紹介型の広告データの表示例、符号２０３，２０４で示す例えば催事やイベントなどを紹介するイベント紹介型の広告データの表示例である。このような広告を、歩道側のガラス窓に接近させて配置した大型ディスプレイ２１に表示することで、歩行者に対してインパクトのある宣伝広告を行うことができる。
【００８２】
ここで、大型ディスプレイ２１の第１表示画面２２に例えば図１５の符号２０２で示す食材の広告データが表示されており、この広告データを見た歩行者が、その食材に関連するデータを取得するために店内に入り、画像形成装置Ａ１の前に来ると、大型ディスプレイ２１の第２表示画面２３には、例えばその関連情報として、図１６の符号３０１で示す食材情報のトップページが表示されている。上記したように、この表示画面には、操作入力用のタッチパネルが設けられているので、この画面を見た客（操作者）が、例えば「お買い得商品」３０１ａをタッチすると、符号３０２で示すお買い得情報が第２表示画面２３に表示される。ここで、操作者がこのお買い得情報の画面の「本日のクーポン」３０２ａにタッチすると、図示は省略しているが、印刷の有無を確認する画面が表示されるので、引き続いてその画面の「印刷」にタッチすると、機器制御部５９は、これを受けてハードディスク６３に保存されている本日のお買い得商品のデータとクーポン券のデータとを読み出し、画像処理部５５ａ及び印字部５５ｄを介してこれらのデータを印字出力する。すなわち、クーポン券を発行する。
【００８３】
また、食材情報のトップページの画面３０１を見た操作者が、例えば「おすすめ商品」３０１ｂをタッチすると、符号３０３で示すおすすめ商品情報が第２表示画面２３に表示される。ここで、操作者がこのおすすめ商品情報画面３０３の「印刷」３０３ａにタッチすると、機器制御部５９は、これを受けてメモリ部に保存されているおすすめ商品の説明データとこれを使ったレシピデータとを読み出し、画像処理部５５ａ及び印字部５５ｄを介してこれらのデータを印字出力する。
【００８４】
また、食材情報のトップページの画面３０１を見た操作者が、例えば「イベント情報」３０１ｃをタッチすると、符号３０４で示すイベント情報が第２表示画面２３に表示される。ここで、操作者がこのイベント情報画面３０４の「印刷」３０４ａにタッチすると、機器制御部５９は、これを受けてハードディスク６３に保存されているタイムサービスや今月のイベント情報の説明データとそれらに参加するチケットのデータとを読み出し、画像処理部５５ａ及び印字部５５ｄを介してこれらのデータを印字出力する。すなわち、チケットを発行する。
【００８５】
また、食材情報のトップページの画面３０１を見た操作者が、例えば「本日のクーポン券」３０１ｄをタッチすると、図示は省略しているが、発行可能なクーポン券の一覧が表示されるので、操作者はその中から所望のクーポン券にタッチし、続けて図示しない「印刷」にタッチすると、機器制御部５９は、これを受けてハードディスク６３に保存されている該当クーポンのデータを読み出し、画像処理部５５ａ及び印字部５５ｄを介してこのデータを印字出力する。すなわち、クーポン券を発行する。
【００８６】
なお、大型ディスプレイ２１に表示された各種データを画像形成装置Ａ１から印字出力する場合の記録用紙については、課金してコピーサービスを提供するときの記録用紙と異なる用紙を使用するようにしてもよい。すなわち、大型ディスプレイ２１に表示されたデータの印字出力は、店の顧客を確保するためのサービスとして提供するものであるため、消費者には無料サービスとして手軽に利用してもらう必要がある。すなわち、無料で提供することが前提である。そこで、大型ディスプレイ２１に表示されたデータの印字出力時には、裏に広告刷りが施された記録用紙を使用することで、印刷の課金を広告主に負担させ、これによって消費者には無料サービスで手軽に印刷してもらうことができる。
【００８７】
次に、店舗責任者が、例えば緊急タイムサービスを企画し、広告チラシを作成して大型ディスプレイ２１に表示させる場合の処理手順について説明する。
【００８８】
この場合の処理手順は、まず作成した広告チラシを原稿読取部５３にセットして原稿押さえ蓋５２により蓋をし、次に、上記したように図１３に示す操作部５８の表示パネル１０１に表示された「特別機能」を選択し、次に、図１４Ａ（ａ）に示す「特別機能」の画面から「表示設定」を選択し、次に、図１４Ａ（ｂ）に示す「表示設定」画面から「原稿の読み取り」を選択し、最後に、図１３に示す操作部５８のスタートボタンを押す。これにより、セットされた広告チラシがスキャナー部５４によって読み取られる。この読み取られたデータは、ハードディスク６３に一旦保存されるとともに、大型ディスプレイ２１の第１表示画面２２に表示される。このとき、第２表示画面２３にも表示するようにしてもよい。これにより、店外の歩行者に対しては大画面による宣伝広告によってタイムサービスの緊急実施を告知することができ、店内の客に対してもタイムサービスの告知を行うことができる。
【００８９】
上記実施例は、コンビニや食品スーパーなどを対象とした実施例であったが、図１７は、不動産会社に本発明の表示一体型画像形成装置を適用した場合の実施例である。
【００９０】
不動産会社においても、近時は歩道側を全面ガラス張りとし、このガラス面に広告を貼付する手法が採用されている。従って、このガラス面に本発明の表示一体型画像形成装置の大型ディスプレイ２１の第１表示画面２２を接近させて配置することで、上記コンビニ等と同様に、不動産情報の宣伝広告を行うことができる。すなわち、図１７に示すように、複数の物件情報を表示する。この物件情報を見た歩行者が、その物件に関連するデータを取得するために店内に入り、画像形成装置Ａ１の前に来ると、操作部５８の表示パネル１０１（タッチパネル１０４）に、図１７の符号４０１で示す物件情報のトップページが表示されているので、この画面を見た客（操作者）が、「物件一覧表示」を選択して、該当する物件情報を選択する。この選択は、例えば第１表示画面２２に表示されている物件情報に簡単な連続番号等を付与しておき、物件一覧から選択するときに、この番号によって該当物件を選択できるようにしておけばよい。これにより、第２表示画面２３に選択した物件情報が表示されるので、その内容を確認した操作者が、操作部５８のスタートボタンを押すことにより、機器制御部５９は、ハードディスク６３に保存されている当該物件情報のデータを読み出し、画像処理部５５ａ及び印字部５５ｄを介してこの物件情報のデータを印字出力する。
【００９１】
なお、本実施形態の表示一体型画像形成装置は、上記したように大型ディスプレイ２１が画像形成装置Ａ１の装置筐体１１に沿って回転可能に設けられている。従って、機器制御部５９は、大型ディスプレイ２１の回転角度に応じて第１及び第２表示画面２２，２３の表示方向を切り替える必要がある。そのため、本実施形態では、ディスプレイ回転移動機構部４０の回転盤４３に、回転角度検出手段６４を配置している。回転盤４３の回転方向や回転角度を検出する手段は従来から種々提案されており、本実施形態においてもそれらの周知技術を適用することが可能であるが、最も簡単な構成としては、各ピン溝４３ａ，４３ｂ，４３ｃの底面にリミットスイッチ６４ａ，６４ｂ，６４ｃ（図６及び図７参照）を配置し、回転固定ピン４６の先端部がいずれかのピン溝に係合したとき、対応するリミットスイッチがオンするように構成しておけばよい。そして、これらリミットスイッチ６４ａ，６４ｂ，６４ｃのオン、オフ信号を機器制御部５９に入力することにより、機器制御部５９において大型ディスプレイ２１の回転方向及び回転角度位置が分かるので、この信号に基づいて大型ディスプレイ２１の第１及び第２表示画面２２，２３の表示方向を切り替えることができる。これにより、店舗側の事情に合わせた種々の設置形態をとることが可能となる。
【図面の簡単な説明】
【００９２】
【図１】本発明の表示一体型画像形成装置の一実施形態の外観斜視図である。
【図２】本発明の表示一体型画像形成装置をコンビニに設置した状態の一例を示しており、（ａ）は斜視図、（ｂ）は平面図である。
【図３】（ａ）〜（ｃ）は、本実施形態の大型ディスプレイを画像形成装置の背面側筐体に対して上下方向にスライド移動させたときの動作イメージ図、（ｄ）〜（ｆ）は、大型ディスプレイを画像形成装置の背面側筐体に沿って±９０度回転させたときの動作イメージ図である。
【図４】上下移動機構部の分解斜視図である。
【図５】上下移動機構部を上から見た断面図である。
【図６】回転移動機構部の要部斜視図である。
【図７】回転移動機構部を上から見た断面図である。
【図８】上下移動機構部と回転移動機構部を一体として設けた場合の要部分解斜視図である。
【図９】本発明の表示一体型画像形成装置の他の実施形態を示しており、画像形成装置の一方の側面側筐体に大型ディスプレイを取り付けた状態を示す斜視図である。
【図１０】側面側筐体に大型ディスプレイを取り付けた表示一体型画像形成装置をコンビニに設置した状態の一例を示す平面図である。
【図１１】本発明の表示一体型画像形成装置のさらに他の実施形態を示しており、画像形成装置の背面側筐体及び側面側筐体に大型ディスプレイを取り付けた状態を示す斜視図である。
【図１２】本発明の表示一体型画像形成装置の電気的構成を示すブロック図である。
【図１３】操作部の構成を示す説明図である。
【図１４Ａ】大型ディスプレイに表示させるデータを設定する際の設定処理手順を示す説明図である。
【図１４Ｂ】大型ディスプレイに表示させるデータを設定する際の設定処理手順を示す説明図である。
【図１５】大型ディスプレイの第１表示画面に表示される広告データの表示例を示す説明図である。
【図１６】大型ディスプレイの第２表示画面に表示されるデータの表示例を示す説明図である。
【図１７】大型ディスプレイの第１表示画面及び第２表示画面に表示されるデータの表示例を示す説明図である。
【図１８】コンビニの一般的な配置構成を示す説明図である。
【符号の説明】
【００９３】
Ａ１  画像形成装置
１１ａ  背面側筐体
１１ｂ  右側面側筐体
１１ｃ  正面側筐体
１１ｄ  左側面側筐体
１２  前扉
１３，１４  横扉
２１  表示装置（大型ディスプレイ）
２１ａ  背面側筐体
２２  表示画面（第１表示画面）
２３  第２表示画面
２４  ディスプレイ保持スライダ
２５  レール突起部
２６  ネジ
２７（２７ａ〜２７ｃ）  固定穴
２８  保持部
３０  上下移動機構部（ディスプレイ上下移動機構部）
３１  保持板
３２  ガイドレール板
３３  レール溝部
３６  上下動固定ピン
３６ａ  ハンドル部
３７  コイルバネ
４０  回転移動機構部（ディスプレイ回転移動機構部）
４１  軸受部
４１ａ  第１軸受部
４１ｂ  第２軸受部
４２  回転軸
４２ａ  一端部
４２ｂ  他端部
４３ａ〜４３ｃ  ピン溝
４６  回転固定ピン
４６ａ  ハンドル部
４７  コイルバネ
５１  胴内排紙口部
５２  原稿押さえ蓋
５３  原稿読取部
５４  スキャナー部
５４ａ  ＣＣＤ
５４ｂ  原稿検知センサ
５５  画像形成部
５５ａ  画像処理部
５５ｂ  メモリ
５５ｃ  暗号化／復号化部
５５ｄ  印字部
５６  給紙部
５７  排紙トレイ
５８  操作部
５８ａ  入力部
５８ｂ  表示部
５９  表示部
６０  ＦＡＸモデル
６１  通信部
６２  管理部
６３  ハードディスク（ＨＤ）
６４ａ，６４ｂ，６４ｃ  リミットスイッチ
７１  ネットワーク
７２  電話回線
７３  インターネット
８１  ファクシミリ装置
８２，８３  端末装置（パソコン）
８４  インターネットＦＡＸ
１０１  表示パネル
１０２  各種機能ボタン
１０３  テンキー
【図１】
0004592771.tif 000002
【図２】
0004592771.tif 000003
【図３】
0004592771.tif 000004
【図４】
0004592771.tif 000005
【図５】
0004592771.tif 000006
【図６】
0004592771.tif 000007
【図７】
0004592771.tif 000008
【図８】
0004592771.tif 000009
【図９】
0004592771.tif 000010
【図１０】
0004592771.tif 000011
【図１１】
0004592771.tif 000012
【図１２】
0004592771.tif 000013
【図１３】
0004592771.tif 000014
【図１４Ａ】
0004592771.tif 000015
【図１４Ｂ】
0004592771.tif 000016
【図１５】
0004592771.tif 000017
【図１６】
0004592771.tif 000018
【図１７】
0004592771.tif 000019
【図１８】
0004592771.tif 000020